(57)【要約】【課題】騒音を抑え、かつ、よりクリーンな隔離空間を実現するとともに、安全でメンテナンス時の取り扱いもクリーンにした簡易クリーンブースを提供することにある。【解決手段】ＨＥＰＡフィルタ２２をフッ素樹脂製のものとすることにより、殺菌灯２４での殺菌が可能になるとともに、圧力損失を低減できるため、騒音を抑えて、よりクリーンな隔離空間Ａを提供することができ、かつ、ＨＥＰＡフィルタ２２も殺菌灯２４により殺菌されているため、メンテナンス時の取り扱いもクリーンに行なえる。また、天面枠３を水平に伸ばした状態での空気清浄ユニット２の重心位置Ｇ１を基準として、ベースアングル２１の長さ、および、取り付け位置を決定しているため、移動時の転倒による事故の危険性も低くなっている。【選択図】　　　図３
2004044823.tif 000002
【特許請求の範囲】
【請求項１】
室内から隔離されたクリーン空間を形成するカーテンと、前記クリーン空間へ除菌された空気を送風する空気清浄ユニットとを備えて構成される簡易クリーンブースにおいて、
前記空気清浄ユニットが、フッ素樹脂製のＨＥＰＡフィルタと、このＨＥＰＡフィルタを殺菌する殺菌灯とを前記空気が流通する通風路上に備えたことを特徴とする簡易クリーンブース。
【請求項２】
前記空気清浄ユニットの筐体を、底面板上に立設したフレームを備えた筐体とし、この筐体の一側面頂部に天幕を備えた下倒可能な天面枠を設け、この天面枠にカーテン備えて垂下させたことを特徴とする請求項１に記載の簡易クリーンブース。
【請求項３】
前記清浄空気ユニット底部へ車輪を備えたベースアングルを設け、このベースアングルを、前記天面枠を水平に伸ばした前記空気清浄ユニットの重心位置を基準に、前記天面枠と平行、かつ、均等に伸ばしたことを特徴とする請求項１または２に記載の簡易クリーンブース。
【請求項４】
前記ベースアングルを伸ばす長さを、前記空気清浄ユニットが置かれた床面の位置から、前記重心位置までの高さに基づいて求めた長さとしたことを特徴とする請求項１乃至３のいずれかに記載の簡易クリーンブース。
【請求項５】
前記殺菌灯の位置を、前記ＨＥＰＡフィルタの細菌などの捕獲面への照射が可能で、前記ＨＥＰＡフィルタと平行な位置とし、この空気清浄ユニットの送風運転中、および、前記送風運転中以外の時間帯にも前記殺菌灯を点灯させたことを特徴とする請求項１に記載の簡易クリーンブース。
【発明の詳細な説明】
【０００１】
【発明の属する技術分野】
病院内での簡易無菌治療などに利用される移動可能な簡易型無菌室に関する。
【０００２】
【従来の技術】
近年、骨髄移植や、臓器移植など医療の高度化に伴って、無菌環境下での治療や、療養の必要性が高まって来ており、ＨＥＰＡフィルタを用いた無菌室が開発され、採用されている。
【０００３】
そして、手術後の患者や、抵抗力の弱い患者の治療を行なうには、この無菌状態となる病室での治療に対しては有効である。
【０００４】
これに対し、比較的抵抗力のある患者などは、上記無菌室での看護を行わなくとも、呼吸器官からの感染などある程度の予防が出来れば、正常者と変わらない生活を行なうことが可能であるため、上記の様に病室全体を無菌環境とせずとも、最小の生活空間であるベッド上面のみ或る程度の清浄度を確保していれば十分であると考えられており、ＨＥＰＡフィルタで濾過された室内空気をエアカーテンや、天面より垂下したカーテンで隔離された空間内へ流通させる簡易無菌室や、カーテンで隔離された空間に殺菌灯により殺菌された室内空気を流通させる簡易無菌室などが考案されてきた。
【０００５】
【発明が解決しようとする課題】
もちろん、夫々、簡易的に無菌状態を得るには、有効な手段を備えたものではあるが、殺菌灯を備えたものは、前記空間内へ流通させる室内空気の殺菌は、行なえるものの、ガラス繊維を主材としたＨＥＰＡフィルタのガラス繊維を集束させるバインダ（集束材）が、前記殺菌灯の紫外線により劣化しやすいため、通常の中性能フィルタや、電子フィルタでの集塵を用いなければならず、塵埃や雑菌の捕獲能力は低いものであった。
【０００６】
これに対し、ＨＥＰＡフィルタを備えたものは、塵埃や雑菌の捕獲能力は、十分あるものフィルタ自体の圧損があるため、送風を行なう送風機を出力の大きいものとする必要があり、それに伴い運転時の騒音を低く出来なかった。
【０００７】
さらに、上述の様に、これまでのガラス繊維のＨＥＰＡフィルタは、紫外線によりバインダが劣化してしまうため、このＨＥＰＡフィルタへ紫外線を照射して、捕獲された雑菌の殺菌処理を行うことが出来ず、このＨＥＰＡフィルタを交換する際には、前記雑菌に対する相応の防備を行ない交換する必要があった。
【０００８】
また、これまでの簡易クリーンブースでは、保管収納のためか、ベースアングルの長さが、空気清浄ユニットの中心を基準として、均等に伸ばされていたため、病室でのベッドに側して設置する場合、天面の枠、或いは、板を水平に伸ばして行なうため、重心位置がが高く、かつ、前記空気清浄ユニットの中心からずれてしまい、不安定になることが多かった。
【０００９】
このため、本発明の目的は、騒音を抑え、かつ、よりクリーンな隔離空間を実現するとともに、安全でメンテナンス時の取り扱いもクリーンにした簡易クリーンブースを提供することにある。
【００１０】
【課題を解決するための手段】
請求項１に記載の発明は、室内から隔離されたクリーン空間を形成するカーテンと、前記クリーン空間へ除菌された空気を送風する空気清浄ユニットとを備えて構成される簡易クリーンブースにおいて、前記空気清浄ユニットが、フッ素樹脂製のＨＥＰＡフィルタと、このＨＥＰＡフィルタを殺菌する殺菌灯とを前記空気が流通する通風路上に備えたことを特徴とするものである。
【００１１】
請求項２に記載の発明は、請求項１に記載のものにおいて、前記空気清浄ユニットの筐体を、底面板上に立設したフレームを備えた筐体とし、この筐体の一側面頂部に天幕を備えた下倒可能な天面枠を設け、この天面枠にカーテン備えて垂下させたことを特徴とするものである。
【００１２】
請求項３に記載の発明は、請求項１または２に記載のものにおいて、前記清浄空気ユニット底部へ車輪を備えたベースアングルを設け、このベースアングルを、前記天面枠を水平に伸ばした前記空気清浄ユニットの重心位置を基準に、前記天面枠と平行、かつ、均等に伸ばしたことを特徴とするものである。
【００１３】
請求項４に記載の発明は、請求項１乃至３のいずれかに記載のものにおいて、前記ベースアングルを伸ばす長さを、前記空気清浄ユニットが置かれた床面の位置から、前記重心位置までの高さに基づいて求めた長さとしたことを特徴とするものである。
【００１４】
請求項５に記載の発明は、請求項１に記載のものにおいて、前記殺菌灯の位置を、前記ＨＥＰＡフィルタの細菌などの捕獲面への照射が可能で、前記ＨＥＰＡフィルタと平行な位置とし、この空気清浄ユニットの送風運転中、および、前記送風運転中以外の時間帯にも前記殺菌灯を点灯させたことを特徴とするものである。
【００１５】
【発明の実施の形態】
以下、本発明による実施の形態について、図１から図５を用いて説明する。
【００１６】
図１は、本願発明による簡易クリーンブースの外観を示した斜視図である。
【００１７】
この簡易クリーンブース１は、主に、室内空気を殺菌濾過して送風する空気清浄ユニット２と、この頂部より、水平方向に伸び、天幕５を備えた天面枠３、および、この天面枠３から垂下して設けられたビニール製などの透明なカーテン４ａ〜４ｃにより形成される隔離空間Ａとから構成されている。
【００１８】
空気清浄ユニット２の筐体は、図２、および、図３に示す様に、底面板１０の上面にフレーム１１が設けられており、このフレーム１１へ天板１２と、制御部を内蔵した操作部１５、および、吸込み口１６を備えた右側板１３、および、左側板１４と、吹出し口グリル１７、および、前板１８と、背板１９と、車輪２０を備えたベースアングル２１とが取り付けられて構成されている。
【００１９】
この吹出しグリル１７、および、前板１８の１側端部には、それぞれヒンジ３２が設けられており、フレーム１１へ設けられたヒンジ受け３３へ掛合して、取り付け、これと対向するそれぞれの側端部へ蝶ネジ３４が設けられて、固定されている。
【００２０】
さらに、左右の両側面板１３、１４に設けられた吸込み口１６には、それぞれ、プレフィルタ２８が、固定板２９により取り付けられている。
【００２１】
また、このフレーム１１内には、フッ素樹脂製のＨＥＰＡフィルタ２２を取り付けるフィルタホルダ２３が設けられ、その背後には、紫外線を照射する殺菌ランプ２４を備え、底面が開放された、チャンバー２５が設けられており、このチャンバー２５の下には、上方へ向けて送風口が開口され、前記チャンバー２５の底面を塞ぐ送風機２６を備えたファンケース２７が設けられている。
【００２２】
このフッ素樹脂製のＨＥＰＡフィルタ２２は、これまでのガラス繊維を主材としたものに比べ、圧力損失は、従来のガラス繊維を主材としたＨＥＰＡフィルタの約半分程度となっており、より集塵能力の高いガラスＵＬＰＡフィルタに比べても約６７パーセント程度の圧力損失となっている。このため、送風機２６本体も小型となり、省電力のものが採用出来ている。
【００２３】
さらに、このフッ素樹脂製のＨＥＰＡフィルタ２２は、上記の様に主材としているものが、フッ素樹脂であるため、これを集束させるバインダ（集束材）も、ガラス繊維を主材としたＨＥＰＡフィルタとは異なり、殺菌灯の照射を受けても劣化しにくい。
【００２４】
そして、詳しくは後述するが、天面枠３を支持するガイドレール３８が、左右両側板１３、１４の頂部に設けられた天面枠固定孔３１より突出するかたちに取り付けられている。
【００２５】
これにより、この空気清浄ユニット２は、操作部１５での操作により、送風機２６が運転されると、矢印で示す様に、吸込み口１６から室内空気を吸込み、この吸込まれた室内空気は、まず、吸込み口１６に設けられたプレフィルタ２８で、大粒子の塵埃が捕獲され、ファンケース２７を流通してチャンバー２５内へと送り込まれ、ここで、殺菌ランプ２４の照射を受けて殺菌され、ＨＥＰＡフィルタ２２で微細粒子の塵埃や、細菌が捕獲されて濾過され、吹出し口グリル１７表面に設けられた小孔３０より吹き出される様になっている。
【００２６】
また、殺菌ランプ２４は、送風運転中はもちろん、運転終了後の一定時間以内は、操作部１５に内蔵された図示しない制御部により、点灯したままの状態とされる。
【００２７】
その理由は、送風運転中での殺菌ランプ２４の点灯は、送風する室内空気の殺菌が一番の目的であるが、これに次ぐ目的、および、運転終了後での殺菌ランプ２４の点灯の目的は、ＨＥＰＡフィルタ２２の捕獲面を殺菌することである。
【００２８】
このため、ＨＥＰＡフィルタ２２は、この殺菌ランプ２４からの照射を受けても劣化することの無いフッ素樹脂製のものとされ、また、殺菌ランプ２４は、チャンバー２５内の通風路上で、ＨＥＰＡフィルタ２２の雑菌などの捕獲面への照射が可能な位置で、前記ＨＥＰＡフィルタ２２の前記捕獲面と平行な位置とされている。
【００２９】
これにより、ＨＥＰＡフィルタ２２の前記捕獲面への均一な紫外線の照射を行なうことが出来、このＨＥＰＡフィルタ２２の前記捕獲面で捕獲された塵埃や、雑菌を均一に殺菌処理することが可能となる。
【００３０】
また、このＨＥＰＡフィルタ２２の前記捕獲面は、上記の様に殺菌処理されているため、このＨＥＰＡフィルタ２２の交換に際して、雑菌からの感染対策など、防備する必要も無く、容易に交換作業を行なうことが出来る。
【００３１】
このＨＥＰＡフィルタ２２の交換については、蝶ネジ３４を外し、吹出し口グリル１７をヒンジ３２を支点として開放させ、フィルタホルダ２３に取り付けられたＨＥＰＡフィルタ２２を取り出して交換することとなる。
【００３２】
また、この簡易クリーンブース１は、移動可能な様に、空気清浄ユニット２の底面板１０へ車輪２０を備えたベースアングル２１を設けているが、このベースアングル２１は、前記天面枠３が水平に伸びる方向と平行で、かつ、天面枠３を水平に伸ばした状態の空気清浄ユニット２の重心位置Ｇ１を中心として、均等に伸ばされている。
【００３３】
これは、通常、この簡易クリーンブース１を移動させたり、保管したりする際は、天面枠３を下倒させて行なうこととなるが、患者が寝ているベッドへ設置する場合は、天面枠３を水平に伸ばして、設置を行なうことになり、この時のこの簡易クリーンブース１の重心位置は、重心位置Ｇ１となるため、この時の転倒防止を目的として、前記重心位置Ｇ１を中心としてベースアングル２１が伸ばされている。
【００３４】
また、天面枠３を下倒させた、上記通常の移動時や、保管時の重心位置は、重心位置Ｇ２と低い位置となり、上記転倒の危険性も低くなることから、上記の様に、ベースアングル２１の中心を、天面枠３を水平に伸ばした状態での空気清浄ユニット２の重心位置Ｇ１としている。
【００３５】
このため、図３でも示されている様に、空気清浄ユニット２を中心として見ると、非対称に伸びたベースアングル２１となっており、このベースアングル２１の長さは、空気清浄ユニット２が置かれた床面の位置から重心位置Ｇ１の高さを基準とし、前記床面からこの重心位置Ｇ１の高さとほぼ同じ長さに伸ばされている。
【００３６】
次に、図４は、上述の様に、下倒可能な天面枠３について示した構造図である。
【００３７】
天面枠３は、アルミニウム合金などの軽量な部材をコの字状に曲げて、製作されたＬの字型のアングルで、内側には、カーテンレール３５が設けられ、空気清浄ユニット２へ取り付けられる端部には、スライドさせる長穴３６が設けられている。
【００３８】
また、この天面枠３を取り付け、支持するフレーム１１の頂部には、前記天面枠３の長穴３６へ挿通させ、ナット３９、および、４０で取り付けるボルト３７を備えたガイドレール３８が溶接されている。
【００３９】
これにより、図５に示す様に、この簡易クリーンブース１を使用する場合には、天面枠３を水平位置まで持ち上げ、スライドさせて、前記端部を空気清浄ユニット２へと挿入することにより、この天面枠３は水平に伸びた状態で保持された状態となり、保管、または、移動を行なう際には、天面枠３をスライドさせて前記端部を、挿出することにより、下倒させることができる。
【００４０】
これにより、移動時には、上述の様に重心位置も低くなり、転倒する危険性も無く移動させることが可能となり、保管においても保管場所に困ることも無い。
【００４１】
なお、本実施の形態では、上記の様に、前記殺菌灯２４を送風運転終了後の一定時間点灯させて、前記フッ素樹脂製のＨＥＰＡフィルタ２２の捕獲面の殺菌処理を行なう様説明したが、特にこれに限らず、空気清浄ユニット２の停止中の時間帯で、一定時間間隔ごとで一定時間、例えば、１時間間隔ごとに５分間などと点灯させるかたちとしても良い。
【００４２】
また、この簡易クリーンブース１を移動させる車輪２０を備えたベースアングル２１の長さを、上記では、前記床面から前記重心位置Ｇ１の高さとほぼ同じ長さと説明しているが、これも、特に前記重心位置Ｇ１の高さとほぼ同じ長さと限定する必要は無く、前記重心位置Ｇ１の高さの３分の２の長さとしても、前記重心位置Ｇ１の高さの２倍の長さとしても構わない。
【００４３】
つまり、前記重心位置Ｇ１を頂点とし、ベースアングル２１を底辺として想定される三角形が、成るべく鈍角三角形に近い三角形と成る様な長さであれば、本簡易クリーンブース１の転倒の可能性は、極端に少なくなる。但し、あまりベースアングル２１の長さが長くなると、この簡易クリーンブース１の移動の面では、安全であるが、収納スペースが必要となるため、移動時の安定性と、収納性とを考慮して、前記ベースアングル２１の長さを決定すれば良い。
【００４４】
【発明の効果】
以上の説明より、フッ素樹脂制のＨＥＰＡフィルタを用いることで、送風時の圧損を低減し、このＨＥＰＡフィルタと、殺菌灯とによる塵埃や、雑菌の捕獲、および、殺菌が可能となるため、低騒音で、よりクリーンな隔離空間を備えた簡易クリーンブースを提供することができ、さらに、前記ＨＥＰＡフィルタ自体をも前記殺菌灯で殺菌出来るため、メンテナンス時の取り扱いもクリーンに行なうことが可能となる。
【００４５】
さらに、この簡易クリーンブースの転倒防止のため、天面枠を水平に伸ばした状態での重心位置を基準として、ベースアングルの長さ、および、設ける位置を決定することにより、移動時などの安定性も向上する。
【図面の簡単な説明】
【図１】本発明による簡易クリーンブースの外観斜視図である。
【図２】簡易クリーンブースの空気清浄ユニット２の分解図である。
【図３】簡易クリーンブースの側面断面図である。
【図４】天面枠３の支持部について示した構造図である。
【図５】天面枠３の支持部について示した側面図である。
【符号の説明】
１　簡易クリーンブース
２　空気清浄ユニット
３　天面枠
４ａ〜４ｃ　カーテン
５　天幕
１０　底面板
１１　フレーム
１２　天板
１３　右側面板
１４　左側面板
１５　操作部
１６　吸込み口
１７　吹出し口グリル
１８　前板
１９　背板
２０　車輪
２１　ベースアングル
２２　フッ素樹脂製ＨＥＰＡフィルタ
２３　フィルタホルダ
２４　殺菌灯
２５　チャンバー
２６　送風機
２７　ファンケース
２８　プレフィルタ
２９　フィルタ固定枠
３０　小孔
３１　天面枠固定孔
３２　ヒンジ
３３　ヒンジ受け
３４　蝶ネジ
３５　カーテンレール
３６　長穴
３７　ボルト
３８　ガイドレール
３９　ナット
Ａ　隔離空間
Ｂ　ベッド
Ｇ１、Ｇ２　重心位置
【図１】
2004044823.tif 000003
【図２】
2004044823.tif 000004
【図３】
2004044823.tif 000005
【図４】
2004044823.tif 000006
【図５】
2004044823.tif 000007